(57)【要約】  光度分布に異方性を有し、かつ光度の高い光を出射させることができるエッジライト方式の照明装置を提供する。  導光板（２）の一方の側面側に発光ユニット（３）が設置されたエッジライト方式の照明装置（１）であって、導光板（２）は、底面（２ｂ）に所定ピッチで形成されたＸ軸方向に平行な複数の断面がＶ字形状の凹条（６）と、出射面（２ｃ）に所定ピッチで形成されたＹ軸方向に平行な複数の断面がレンチキュラーレンズ形状の凸条（７）を有しており、入射端面（２ａ）から導光板（２）内に入射された光が底面（２ｂ）の断面がＶ字形状の凹条（６）の斜面で反射されて、出射面（２ｃ）から出射される出射光の光度が、Ｚ軸方向に対する角度が２５°〜６５°の範囲で最大となるように、凹条（６）の頂角が設定されている。
2014181865.tif 000002
【特許請求の範囲】
【請求項１】
導光板の一方の側面側に一次光源が設置され、前記導光板は、出射面、該出射面に対向する底面、及び一側面に設けられた前記一次光源から出射された光を入射させる入射端面を有するエッジライト方式の照明装置であって、
Ｘ軸と、Ｘ軸に直交するＹ軸で構成されるＸ−Ｙ平面の法線をＺ軸として、前記一次光源はＸ軸に平行に配置しており、前記導光板は前記Ｘ−Ｙ平面に平行に配置しており、前記導光板の入射端面はＸ−Ｚ平面に平行であり、
前記導光板は、前記底面に所定ピッチで形成されたＸ軸方向に平行な複数の凹条パターンと、前記出射面に所定ピッチで形成されたＹ軸方向に平行な複数の凸条パターンを有しており、
前記入射端面から前記導光板内に入射された光が前記底面の前記凹条パターンの斜面で反射されて、前記出射面から出射される出射光の光度が、Ｚ軸方向に対する角度が２５°〜６５°の範囲で最大となるように、前記凹条パターンが設定されていることを特徴とする照明装置。
【請求項２】
前記導光板の底面に形成された前記凹条パターンは、断面がＶ字形状で頂角が１２０°〜１６５°に設定されていることを特徴とする請求項１に記載の照明装置。
【請求項３】
前記導光板の出射面に形成された前記凸条パターンは、断面がレンチキュラーレンズ形状又は台形状又は放物線状であることを特徴とする請求項１又は２に記載の照明装置。
【請求項４】
前記導光板の底面側には光を反射する反射シートを有し、前記導光板の出射面側には光を均一に拡散する拡散シートを有していることを特徴とする請求項１乃至３のいずれか一項に記載の照明装置。
【請求項５】
前記導光板の底面側に、光を反射する反射シートを有していることを特徴とする請求項１乃至３のいずれか一項に記載の照明装置。
【発明の詳細な説明】
【技術分野】
【０００１】
本発明は、導光板の一方の側面側に配置したＬＥＤ等の一次光源から光を導光板内に入射して、該導光板の一方の主面（出射面）から光を出射するエッジライト方式の照明装置に関し、特にオフィスや住宅等の天井面や壁面などに取り付けて使用する照明器具や展示用照明器具として好適なエッジライト方式の照明装置に関する。
【背景技術】
【０００２】
液晶テレビやパソコン等における液晶表示装置は、エッジライト方式のバックライトが主流となっている。エッジライト方式のバックライトは、導光板の少なくとも一方の側面側に配置した一次光源（ＬＥＤ等）から光を導光板内に入射し、該導光板の一方の主面（出射面）全体から光を出射させることで、面状の光として出射することができる。【０００３】
このため、このエッジライト方式のバックライトは、薄く、かつ軽量化し易いため、近年、オフィスや住宅等の天井面などに取り付けて使用する照明器具にも適用されるようになってきた（例えば、特許文献１参照）。【０００４】
特にＬＥＤは、発光効率の向上と価格の低下、ＬＥＤの調光機能による生活様式にあわせた演出ができるため、ＬＥＤを光源とする照明器具が急速に普及している。（例えば、特許文献２参照）。【０００５】
しかしながら、液晶表示装置に使われる面光源装置においては、発光面の輝度均一性が重要視されるが、照明装置では、被照射面の照度均一性が重要視されるため、面光源に用いられる技術をそのまま照明装置に使うことはできず、照明装置では、面光源装置とは異なる設計を行う必要がある。
【先行技術文献】
【特許文献】
【０００６】
【特許文献１】特開平０３−８１９０７号公報
【特許文献２】特開２０１３−３０２７９号公報
【発明の概要】
【発明が解決しようとする課題】
【０００７】
特許文献１、２のようなエッジライト方式の照明装置をオフィスや住宅等の天井などに取り付けて照明器具として使用する場合、この照明装置では、例えば正方形状の導光板の主面（出射面）から面状の光として出射し、照明装置の直下及びその周辺を均等に照らすことができる。【０００８】
ところで、前記特許文献１、２のようなエッジライト方式の照明装置では、導光板の主面（出射面）から出射した面状の光が等方的に広がって照らすため、照明用途によっては光度分布に異方性を持たせたい場合があっても対応することができない。例えば、デパートでは、靴やバッグ等の商品が高さ方向に多段状に陳列されている。これらの商品を周囲から浮かび上がるように照明するには、商品を斜めから照らすのが好ましく、このため、複数のスポットライトなどを用いているが、棚と棚の距離を広く確保する必要があるため、陳列点数に制限がでてしまう。【０００９】
また、オフィスや住宅等の空間の明るさを明るく見せるために、照明装置を用いて壁面を明るくする工夫がなされている。当該照明装置も、スポットライトが使用され、天井から突出するように取り付けたり、天井に埋め込んだりしているが、見栄えが悪かったり、取り付け費用が嵩張るなどのデメリットがある。【００１０】
そこで、本発明は、照明装置から出射される光の光度分布に異方性を有し、かつ光度の高い光を出射させることができる、薄くかつ軽量なエッジライト方式の照明装置を提供することを目的とする。
【課題を解決するための手段】
【００１１】
前記目的を達成するために請求項１に記載の照明装置は、導光板の一方の側面側に一次光源が設置され、前記導光板は、出射面、該出射面に対向する底面、及び一側面に設けられた前記一次光源から出射された光を入射させる入射端面を有するエッジライト方式の照明装置であって、Ｘ軸と、Ｘ軸に直交するＹ軸で構成されるＸ−Ｙ平面の法線をＺ軸として、前記一次光源はＸ軸に平行に配置しており、前記導光板は前記Ｘ−Ｙ平面に平行に配置しており、前記導光板の入射端面はＸ−Ｚ平面に平行であり、前記導光板は、前記底面に所定ピッチで形成されたＸ軸方向に平行な複数の凹条パターンと、前記出射面に所定ピッチで形成されたＹ軸方向に平行な複数の凸条パターンを有しており、前記入射端面から前記導光板内に入射された光が前記底面の前記凹条パターンの斜面で反射されて、前記出射面から出射される出射光の光度が、Ｚ軸方向に対する角度が２５°〜６５°の範囲で最大となるように、前記凹条パターンが設定されていることを特徴としている。【００１２】
請求項２に記載の照明装置は、前記導光板の底面に形成された前記凹条パターンが、断面がＶ字形状で頂角が１２０°〜１６５°に設定されていることを特徴としている。【００１３】
請求項３に記載の照明装置は、前記導光板の出射面に形成された前記凸条パターンが、断面がレンチキュラーレンズ形状又は台形状又は放物線状であることを特徴としている。【００１４】
請求項４に記載の照明装置は、前記導光板の底面側には光を反射する反射シートを有し、前記導光板の出射面側には光を均一に拡散する拡散シートを有していることを特徴としている。【００１５】
請求項５に記載の照明装置は、前記導光板の底面側に、光を反射する反射シートを有していることを特徴としている。
【発明の効果】
【００１６】
本発明に係る照明装置によれば、入射端面から導光板内に入射された光が底面の凹条パターンの斜面で反射されて、出射面から出射される出射光の光度が、Ｚ軸方向に対する角度が２５°〜６５°の範囲で最大となるように、凹条パターンが設定されているので、光度分布に異方性を有し、かつ光度の高い光を出射させることができる。【００１７】
よって、例えば、デパートなどで靴やバッグ等の複数の商品が高さ方向に多段状に陳列されているような場合に、従来のように複数のスポットライトを用いることなく、１つの前記照明装置から出射される光で、斜め上方からこれらの商品を周囲から浮かび上がるように照らすことができる。【００１８】
また、オフィスや住宅等で照明にスポットライトを用いるような場合でも、スポットライトの替わりに、光度分布に異方性を有し、かつ光度の高い光を出射させることができる本発明の照明装置を用いることができるので、一般的な照明器具と同様に容易に天井面等に取り付けることができる。
【図面の簡単な説明】
【００１９】
【図１】本発明の実施形態に係るエッジライト方式の照明装置を示す分解斜視図。
【図２】図１のＡ−Ａ線断面図。
【図３】本実施形態に係る照明装置の導光板の短辺側を示す概略側面図。
【図４】本実施形態に係る照明装置において、導光板の底面に形成したＶ字状の凹条の頂角を変化させたときの、導光板の出射面から出射された光の光度分布の測定結果を示した図。
【図５Ａ】本実施形態に係る照明装置の導光板の底面側を示す図。
【図５Ｂ】図５ＡのＢ−Ｂ線断面図。
【図６Ａ】本実施形態に係る照明装置の側面側を示す図。
【図６Ｂ】導光板の出射面から出射された光の光度分布の測定結果を示した図。
【図７】本実施形態の変形例における、導光板の出射面から出射された光の光度分布の測定結果を示した図。
【図８Ａ】本実施形態の変形例１における、導光板の底面に形成した凹条の形状を示す図。
【図８Ｂ】本実施形態の変形例２における、導光板の底面に形成した凹条の形状を示す図。
【図９】本実施形態の変形例２における、導光板の出射面から出射された光の光度分布の測定結果を示した図。
【発明を実施するための形態】
【００２０】
図１は、本発明の実施形態に係るエッジライト方式の照明装置を示す分解斜視図、図２は、図１のＡ−Ａ線断面図である。本実施形態に係るエッジライト方式の照明装置１では、Ｘ軸と、Ｘ軸に直交するＹ軸で構成されるＸ−Ｙ平面の法線をＺ軸とし、Ｚ軸方向が光の出射方向としている。
【００２１】
図１、図２に示すように、本実施形態に係るエッジライト方式の照明装置（以下、単に「照明装置」という）１は、透明樹脂（例えば、アクリル樹脂）などから形成された透明構造体である長方形状の導光板２、この導光板２の左右方向（Ｙ軸方向）の一方の側面（以下、「入射端面」という）２ａ側に配置された発光ユニット３、導光板２の背面（以下、「底面」という）２ｂ側に設置された反射シート４、導光板２の前面（以下、「出射面」という）２ｃ側に配置された拡散シート５を主構成部材として備えている。
【００２２】
図１に示すように、この照明装置１の導光板２は、長辺がＸ軸方向であり、一方の長辺（Ｘ軸方向）に沿って発光ユニット３が配置されている。なお、この照明装置１をオフィスや住宅等の天井面に設置した場合には、反射シート４側が天井面に位置し、出射面２ｃ側（拡散シート５側）から後述する照度異方性を有する光が斜め下方に向けて出射される。
【００２３】
導光板２の底面２ｂには、Ｘ軸方向（長辺方向）に延びる凹条６が所定のピッチで複数形成されている。また、導光板２の出射面２ｃには、Ｙ軸方向（短辺方向）に延びる凸条７のパターンが所定のピッチで複数形成されている（導光板２の詳細については後述する）。
【００２４】
一次光源としての発光ユニット３は、導光板２の入射端面２ａにＸ軸方向に沿って配置されており、発光ユニット３内には、導光板２のＸ軸方向に沿って直線状に所定間隔で光源としてのＬＥＤ（発光ダイオード）８が複数配置されている。ＬＥＤ８の配置間隔は、例えば数ｍｍ〜２０ｍｍ程度である。
【００２５】
発光ユニット３の各ＬＥＤ（光源）８から発せられた光は、導光板２の入射端面２ａから導光板２内のＹ軸方向へ入射される。
【００２６】
反射シート４は、導光板２の入射端面２ａ側から入射された光のうちの導光板２の底面２ｂから外へ出射した光を、再度導光板２へ入射させる機能を有している。この反射シート４は、反射率９５％以上のものが光の利用効率が高く望ましい。反射シート４の材質は、アルミ、銀、ステンレスなどの金属箔や、白色塗装、発泡ＰＥＴ（ポリエチレンテレフタレート）樹脂などが挙げられる。
【００２７】
導光板２の前面側（正面側）である出射面２ｃ側に設置された拡散シート５は、導光板２の出射面２ｃから出射された光を適度に均一化させて、明暗ムラを抑制して外観を向上させる機能を有している。
【００２８】
オフィスや住宅の天井面に用いられる照明装置は、直接、照明装置の発光面が視認されるので外観品位が重視されるため、拡散シート５を1枚ないしは複数枚使用することがある。この拡散シート５は、拡散性を有する樹脂で作製された板状物（例えば、ＰＭＭＡ、ＰＣ等）でもよく、これらの板を熱成形して３次元形状に加工した保護カバー状であってもよい。
【００２９】
なお、導光板２の出射面２ｃ側への拡散シート５の設置は必須ではなく、照明装置１の設置場所や用途等に応じては拡散シート５を省略してもよい。
【００３０】
（導光板２の構成）
図１に示したように、導光板２の底面２ｂには、所定のピッチで形成された凹条６が形成されている。この凹条６は断面形状がＶ字状（Ｖ溝状）に形成されており、Ｘ軸方向に延びている。図３に示すように、本実施形態では、断面形状がＶ字状の凹条６の頂角（θ）は１２０°〜１６５°の範囲に設定されている。また、凹条６の高さ（深さ）は、０．００１〜０．１ｍｍ程度の範囲内で設定され、より好ましくは０．００３〜０．０２ｍｍの範囲内で設定されている。
【００３１】
図１に示した照明装置１において、導光板２の入射端面２ａ側から入射した光のうち、導光板２の出射面２ｃから出射される光の主たるものは、導光板２の底面２ｂに形成した断面がＶ字状の凹条６の斜面により全反射されて、出射面２ｃの法線方向に対して所定の出射角度（本実施形態では、後述するように導光板２の出射面２ｃの正面方向（Ｚ軸方向）を出射角度０°として、出射角度が約＋２５°〜＋６５°）で出射する光である。
【００３２】
また、導光板２の出射面２ｃには、本実施形態では断面形状がレンチキュラーレンズ形状の凸条７が所定のピッチで形成されており、Ｙ軸方向に延びている。この出射面２ｃの凸条７は、出射面２ｃの法線方向に対して所定の出射角度（本実施形態では、後述するように、導光板２の出射面２ｃの正面方向（Ｚ軸方向）を出射角度０°として、出射角度が約＋２５°〜＋６５°）で出射する光を透過して出射させ、底面２ｂの凹条６側から他の出射角度で凸条７に入射した光はこの凸条７内で全反射させて、導光板２に戻す機能を有している。
【００３３】
このように、導光板２の出射面２ｃに形成した断面形状がレンチキュラーレンズ形状の凸条７によって、出射面２ｃから出射する光の光度を向上させることができる。
【００３４】
なお、導光板２の出射面２ｃに形成した凸条７は、本実施形態では断面形状がレンチキュラーレンズ形状であったが、これ以外にも断面形状が台形状や放物線状でもよい。あるいは、下記式（１）で規定される曲線でもよい。
【００３５】
【数１】
2014181865.tif 000003
【００３６】
なお、この式（１）は、Ｃ〜Ｍの各パラメーターを限定しない一般式で、Ｃ〜Ｍのうち少なくとも１つは０でないものである。特に、式（1）中のＫは−１が好ましい。
【００３７】
図４は、図１に示した照明装置１において、導光板２の出射面２ｃに形成したレンチキュラーレンズ形状の凸条７のアスペクト比を２０％に設定して、導光板２の底面２ｂに形成したＶ字状の凹条６の頂角（θ）を変化（１１０°〜１７０°の間で変化）させたときの、導光板２の出射面２ｃから出射された光の光度分布の測定結果である。
【００３８】
このアスペクト比は、レンチキュラーレンズの垂直断面をトレースする円の半径をＲとし、レンチキュラーレンズを形成する円弧の頂点から弦までの距離をｒとすると、ｒ／２Ｒ（％）で定義される。なお、この測定では、照明装置１の反射シート４が天井面側に位置し、出射面２ｃ側の拡散シート５は取り外している。
【００３９】
図４に示した光度分布の測定結果において、図５Ａ，図５Ｂに示すように、導光板２の出射面２ｃの正面方向（Ｚ軸方向）を出射角度０°とし、Ｚ−Ｙ平面において、Ｙ軸方向の発光ユニット３と反対側が＋９０°、Ｙ軸方向の発光ユニット３側が−９０°である。なお、図５Ｂは、図５ＡのＢ−Ｂ線断面図である。図５Ｂにおいて、矢印Ａ方向は、本実施形態における出射面２ｃからの光の出射方向（発光ユニット３と反対側の斜め下方側方向）である。
【００４０】
図４において、ａは凹条６の頂角（θ）が１１０°、ｂは凹条６の頂角（θ）が１２０°、ｃは凹条６の頂角（θ）が１３０°、ｄは凹条６の頂角（θ）が１４０°、ｅは凹条６の頂角（θ）が１５０°、ｆは凹条６の頂角（θ）が１６０°、ｇは凹条６の頂角（θ）が１７０°のときの光度分布で、凹条６の頂角（θ）が１１０°のときの最大光度値で規格化してある。
【００４１】
図４に示した測定結果から明らかなように、導光板２の底面２ｂに形成したＶ字状の凹条６の頂角（θ）が１１０°の場合（図４のａ）では、Ｚ軸方向に対する出射角度が約＋２０°で、出射面２ｃから出射される光が最大光度となるため、出射光の異方性は小さかった。
【００４２】
また、Ｖ字状の凹条６の頂角（θ）が１７０°の場合（図４のｇ）では、Ｚ軸方向に対する出射角度が約＋６５°〜＋７０°で最大光度となり、出射光の異方性は非常に高いが、出射面２ｃから出射される光の最大光度比率は約０．７３で低い。また、出射面２ｃの入射端面２ａ側にも一部の光が出射し、光度が高くなっている。このように、光度分布がＺ軸方向に対して２方向に異方性を有するため、各方向の光度は低くなっている。
【００４３】
これに対して、Ｖ字状の凹条６の頂角（θ）が１２０°〜１６０°の場合（図４のｂ〜ｆ）では、Ｚ軸方向に対する最大光度の出射角度は約＋３０°〜＋５５°で、出射面２ｃから出射される光の最大光度比率は約０．９２〜０．９７となった。
【００４４】
このように、導光板２の底面２ｂに形成したＶ字状の凹条６の頂角（θ）を１２０°〜１６０°に設定することにより、光度分布に異方性を有し、かつ光度の高い光を出射面２ｃ（凸条７）から出射させることができる。
【００４５】
そして、図６Ａに示す、導光板２の出射面２ｃ側に拡散シート５を配置した本実施形態の照明装置１（図１参照）において、導光板２の出射面２ｃから矢印Ａ方向（発光ユニット３と反対側の斜め下方側方向）に出射された光の光度分布を測定したところ、図６Ｂのような測定結果が得られた。
【００４６】
なお、この光度分布の測定では、導光板２の底面２ｂに形成したＶ字状の凹条６の頂角（θ）を１３０°とし、導光板２の出射面２ｃに形成したレンチキュラーレンズ形状の凸条７のアスペクト比を２０％に設定している。
【００４７】
図６Ｂに示した光度分布の測定結果において、図６Ａに示すように、導光板２の出射面２ｃの正面方向（Ｚ軸方向）を出射角度０°とし、Ｚ−Ｙ平面において、Ｙ軸方向の発光ユニット３と反対側が＋９０°、Ｙ軸方向の発光ユニット３側が−９０°である。
【００４８】
図６Ｂに示した測定結果から明らかなように、導光板２の出射面２ｃ側に拡散シート５を配置することで、出射面２ｃから出射する光を拡散し、異方性を有する光度分布の範囲を滑らかにすることができる。
【００４９】
（本実施形態の変形例１）
図７は、導光板２の出射面２ｃに配置されている凸条７が、上記の数式１に記載の各パラメーターが表１で定義される曲面パターンとし、導光板２の底面２ｂに形成した凹条６が複数の異なる傾斜角を有する斜面で構成されている多段Ｖ溝である場合の、光度分布の測定結果である。
【００５０】
【表１】
2014181865.tif 000004
【００５１】
図７に示した光度分布の測定結果は図４と同じく、図１に示した照明装置１において、導光板２の出射面２ｃに形成したレンチキュラーレンズ形状の凸条７のアスペクト比を２０％に設定して、導光板２の底面２ｂに形成したＶ字状の凹条６の頂角（θ）が１１０°であるときの最大光度で規格化している。
【００５２】
底面２ｂに形成した凹条６は、図８Ａのように、凹条６の各斜面と底面２ｂとなす角度Ｒi、および段差Ｈi（iは多段Ｖ溝の段番号）が、表２に示すような６種類の斜面で構成された多段Ｖ溝である。なお、この変形例１の凹条６は、複数の単一傾斜角の斜面から構成されているが、各頂点を滑らかな曲線で結んだ曲面パターンであってもよい。
【００５３】
【表２】
2014181865.tif 000005
【００５４】
本光度分布の測定結果では、導光板２の出射面２ｃの上に何も載せない場合、Ｚ軸方向に対する出射角度が約＋４０°で最大光度となり、出射光の異方性は非常に高かった。
【００５５】
本光度分布パターンのように異方性が高い場合、本光度分布パターンが採用されている導光板２を照明装置に組み込んで、デパート等の商品陳列棚の棚底に設置した場合、最大光度の出射角度が約＋４０°であることにより、導光板２の出射面２ｃの正面方向に対して斜め下方側に置いている商品付近の特定範囲を重点的に照明することができる。よって、この商品を周囲から浮かび上がるように照明することができる。
【００５６】
（本実施形態の変形例２）
図９は、導光板２の出射面２ｃに配置されている凸条７が、上記の数式１に記載の各パラメーターが表１で定義される曲面パターンとし、導光板２の底面２ｂに形成した凹条６は図８Ｂのように凹条６の各節点（Ai,Bi）が、表３で定義される点を滑らかに通る略Ｖ字状の曲面パターンである場合の、光度分布の測定結果である。図９に示した光度分布の測定結果も、図４及び図７と同じ方法で規格化している。
【００５７】
【表３】
2014181865.tif 000006
【００５８】
図９に示した光度分布の測定結果では、導光板２の出射面２ｃの上に何も載せない場合、Ｚ軸方向に対する出射角度が約＋２５°のときに最大光度となった。
本光度分布パターンが採用されている導光板２を照明装置に組み込んで、壁面照明としてオフィスや住宅等の天井に設置した場合、最大光度の出射角度が約＋２５°であることにより、壁面全面（天井と壁面の境界から、壁面と床面の境界まで）を照らすことが可能となる。
【００５９】
このように、導光板２の出射面２ｃ（または拡散シート５）から出射される光の異方性を、導光板２の出射面２ｃに配置されている凸条７と底面２ｂに形成した凹条６の組み合わせによって変更することが可能であるため、照明装置の使用目的に合わせて、導光板２を選択して組み込めばよい。
【００６０】
更に、前記照明装置１は、エッジライト方式であり、かつ導光板２の一方の側面（入射端面２ａ）のみに発光ユニット３を設けた構成によって、照明装置全体の薄型化と軽量化を図ることができる。
【関連出願の相互参照】
【００６１】
本願は、２０１３年５月１０日に日本国特許庁に出願された特願２０１３−１０００２５号に基づく優先権を主張し、その全ての開示は完全に本明細書で参照により組み込まれる。
【符号の説明】
【００６２】
１        照明装置
２        導光板
２ａ      入射端面
２ｂ      底面
２ｃ      出射面
３        発光ユニット
４        反射シート
５        拡散シート
６        凹条（凹条パターン）
７        凸条（凸条パターン）
８        ＬＥＤ（一次光源）
【図１】
2014181865.tif 000007
【図２】
2014181865.tif 000008
【図３】
2014181865.tif 000009
【図４】
2014181865.tif 000010
【図５Ａ】
2014181865.tif 000011
【図５Ｂ】
2014181865.tif 000012
【図６Ａ】
2014181865.tif 000013
【図６Ｂ】
2014181865.tif 000014
【図７】
2014181865.tif 000015
【図８Ａ】
2014181865.tif 000016
【図８Ｂ】
2014181865.tif 000017
【図９】
2014181865.tif 000018
【国際調査報告】
2014181865.tif 000019
2014181865.tif 000020
2014181865.tif 000021
2014181865.tif 000022